【事件の表示】
　特願２００９−２４７０６３号「遊技機」拒絶査定不服審判事件〔平成２３年　５月１２日出願公開、特開２０１１−　９２２９７号〕について、次のとおり審決する。
【結　論】
　本件審判の請求は、成り立たない。
【理　由】
１．手続の経緯
　本願は、平成２１年１０月２７日の出願であって、平成２６年７月３０日付けで拒絶査定（発送日：平成２６年８月５日）がなされ、これに対し、平成２６年９月３０日に拒絶査定不服審判請求がなされるとともに手続補正がなされ、その後、当審において、平成２７年９月８日付けで拒絶理由が通知され、これに対し、平成２７年１１月９日付けで意見書が提出されるとともに手続補正がなされたものである。
　
２．本願発明
　この出願の特許請求の範囲の請求項１〜５に係る発明は、平成２７年１１月９日付けの手続補正書により補正された特許請求の範囲の請求項１〜５に記載された事項により特定されるとおりのものであるところ、その請求項１に係る発明（以下、「本願発明」という。）は次のとおりのものである。
「【請求項１】
　遊技球による遊技を遊技領域で行う遊技機であって、
　前記遊技領域のうち落下する遊技球が正面視で右側から左側に向かい易い領域に配設され、回転して開閉する扉を有する大入賞口と、
　磁力の利用によりスライド移動する軸部を有し、当該軸部のスライド移動の方向が前記扉の回転軸が延びる方向と略同一になるように配設され、前記大入賞口の当該扉を開閉する駆動力を発生する駆動源と、
　前記大入賞口に近い位置での遊技球への前記駆動源の磁力の影響を抑制する抑制手段と、
　を備え、
　前記抑制手段により遊技球への磁力の影響が抑制される前記駆動源が正面視で前記大入賞口の前記扉の一端部の側に位置し、当該一端部の側から当該大入賞口に入球した遊技球を検出する検出部が正面視で当該扉の他端部の側に位置し、
　前記大入賞口に入球した遊技球が前記検出部により検出する前に転がる床面の、前記扉の前記一端部と前記他端部の高さ位置が互いに略等しいことを特徴とする遊技機。」
３．当審の拒絶理由通知
　当審の拒絶理由通知の概要は次のとおりである。
　本願の請求項１〜５に係る発明は、その出願前日本国内または外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
（１）特開２００５−１６８９１４号公報 
（２）特開２００８−１６１５７９号公報
４．刊行物に記載された事項
（１）当審の拒絶理由で引用した本願の出願日前に頒布された刊行物である特開２００５−１６８９１４号公報（以下、「刊行物１」という。）には、図面と共に次の事項が記載されている（下線は当審で付与した。）。
　
（１ａ）「【特許請求の範囲】
【請求項１】
　
遊技領域に開口する開口部と、遊技球の流動方向を変化させる被駆動部材と、該被駆動部材を駆動変位せしめる駆動用ソレノイドと、該開口部から入賞した遊技球が通過せしめられる球通路を備えた可変入賞装置
　
前記駆動用ソレノイドの軸方向が前記球通路の壁部と平行になるようにして、該駆動用ソレノイドを該球通路の壁部に近接して配設すると共に、強磁性材によって形成された遮蔽プレートを、該駆動用ソレノイドの該球通路側を覆うようにして該駆動用ソレノイドと該球通路との間に配設した
・・・
【請求項７】
　
前記被駆動部材が前記開口部を閉鎖可能に配設された閉鎖扉
（１ｂ）「【００１９】
　また、本態様における
「球通路の壁部」とは、
球通路を通過する遊技球が必ず接触する底壁部分のみならず、球通路を通過する遊技球が接触する可能性がある側壁部分も含む
（１ｃ）「【発明の効果】
【００３６】
　上述の説明から明らかなように、本発明に従う構造とされた可変入賞装置においては、球通路と駆動用ソレノイドの間において強磁性材によって形成された遮蔽プレートが配設されていることから、
駆動用ソレノイドへの通電によって生ぜしめられる磁束が遮蔽プレートを通るようになり、それによって、球通路側に磁束が漏れ難くすること可能となり、その結果、球通路において遊技球が停留され難くする
（１ｄ）「【発明を実施するための最良の形態】
【００３７】
　以下。本発明を更に具体的に明らかにするために、本発明の実施形態について、図面を参照しつつ、詳細に説明する。
【００３８】
　先ず、図１には、本発明の第一の実施形態の可変入賞装置としての
大入賞口装置４４を備えたパチンコ機１０
・・・
【００４１】
　また、普通図柄表示装置３２の右側には、図示しない遊技球誘導部が回動可能に配設された第３種始動口４０が設けられている。更に、第３種始動口４０の下方には、特定入賞口装置３８内に設けられた特定領域（図示せず）を遊技球が通過して権利が発生した状態で第３種始動口４０に遊技球が入賞した場合に開閉制御される
被駆動部材としての開閉扉４２を有する大入賞口装置４４
（１ｅ）「【００４２】
　この
大入賞口装置４４は、
略一定の矩形断面で開口する本体枠４６の一方の開口部４８ａに対して外方に広がる取付板５０が一体形成された本体部材５２と、かかる本体部材５２における本体枠４６の他方の開口部４８ｂを覆うようにしてビス止め等により固定的に取り付けられる奥壁部材５４を含んで構成
【００４３】
　このようにして形成された凹室５８の右奥隅、即ち、奥壁部材５４において奥壁５６を構成している部分の右隅は、更に奥に向かって突出せしめられており、かかる突出部分によって下方に向かって開口するポケット部６０が形成されている。そして、
ポケット部６０の下方には、本体部材５２と奥壁部材５４によって固定的に支持された近接スイッチ６２の検出部６４が位置せしめられており
【００４４】
　さらに、凹室５８の奥壁５６、即ち、奥壁部材５４における奥壁５６を構成している部分には、本体枠４６の一方の開口部４８ａに向かって突出する平板形状の案内壁６６が一体形成されており、特に、本実施形態では、案内壁６６の突出高さは遊技球の直径と略同じ程度の大きさとされている。
この案内壁６６には、奥壁５６におけるポケット部６０が形成された側に向かって僅かに傾斜している第一の傾斜部６８が設けられており、それによって、案内壁６６における第一の傾斜部６８に載った遊技球がポケット部６０のほうに向かって流れやすくなっている。また、案内壁６６には、ポケット部６０の前方において、ポケット部６０側に向かって傾斜している第二の傾斜部７０が設けられており、それによって、案内壁６６における第二の傾斜部７０に載った遊技球がポケット部６０のほうに向かって流れやすくなっている。
（１ｆ）「【００４６】
　また、奥壁部材５４の後方には、駆動用ソレノイドとしての駆動ソレノイド８０が取付部材８２を介して固定的に取り付けられている。この駆動ソレノイド８０は、従来から公知のものであるが、簡単に説明すると、
コイルボビン８１に巻回されたワイヤ８３（コイル）への通電によって、コイルボビン８１の中心孔に挿通配置されたプランジャ８４がコイルスプリング８６の付勢力に抗して引っ込む一方、コイル８３への通電が中止された場合には、プランジャ８４がコイルスプリング８６の付勢力によって元の位置に戻るようになっているものである。
（１ｇ）「【００５１】
　そして、
駆動ソレノイド８０のコイルへ通電が行われると、プランジャ８４の突出方向への変位
開閉扉４２が下端部を中心にして前方に傾くように回動せしめられて、開閉扉４２によって閉鎖されていた開口部４８ａ（大入賞口装置４４の入口）が開放される。
【００５２】
　一方、
駆動ソレノイド８０のコイルへの通電が停止されると、プランジャ８４の引っ込み方向へ変位
開閉扉４２が下端部を中心にして逆方向に回動せしめられて元の位置に戻ることとなり、その結果、開口部４８ａ（大入賞口装置４４の入口）が開閉扉４２によって閉鎖される。
（１ｈ）図１には、
パチンコ機において正面視略右下領域に大入賞口装置４４を備え
（１ｉ）図１０は、大入賞口装置４４の開閉扉４２が開いた状態の平面図であり、大入賞口装置４４の開閉扉４２に対し、駆動ソレノイド８０は左端部の後方側に位置し、ポケット部６０は右端部の後方側に位置することが示されている。また、図１３図には、ポケット部６０の下方に検出部６４が示されている。
　したがって、
大入賞口装置４４を正面視すれば、開閉扉４２に対し、駆動ソレノイド８０は左端部の側に位置し、検出部６４は右端部の側に位置する
（１ｊ）図１０−１２には、
駆動ソレノイド８０のプランジャ８４の長手方向が大入賞口装置４４の開閉扉４２の下端部の方向と略同一である
（１ｋ）上記（１ｇ）によれば、駆動ソレノイド８０のコイルへ通電が行われると、プランジャ８４の突出方向への変位することにより、大入賞口装置４４の開閉扉４２はその下端部を中心にして回動して開放し、通電が停止されると、プランジャ８４の引っ込み方向へ変位することにより、開閉扉４２は閉鎖されることが記載されている。
　したがって、
駆動ソレノイド８０はコイルへの通電により突出方向（長手方向）に変位するプランジャ８４を有し、大入賞口装置４４の開閉扉４２を回動して開閉
（１ｌ）上記（１ｅ）によれば、
案内壁６６には、ポケット部６０が形成された側に向かって僅かに傾斜している第一の傾斜部６８が設けられており、また、案内壁６６には、ポケット部６０の前方において、ポケット部６０側に向かって傾斜している第二の傾斜部７０が設けられている。
案内壁６６は大入賞口装置４４に入球した遊技球が検出部６４に検出する前に転がる床面である
　上記（１ａ）〜（１ｌ）に記載された事項、認定した事項を総合すれば、刊行物１には次の発明（以下、「引用発明」という。）が記載されている。
「大入賞口装置４４を備えたパチンコ機１０であって、
　正面視略右下領域に開閉扉４２によって回動して開閉される大入賞口装置と、
　コイルへの通電により突出方向（長手方向）に変位するプランジャ８４を有し、プランジャ８４の突出方向（長手方向）が大入賞口装置４４の開閉扉４２の下端部の方向と略同一であり、大入賞口装置４４の開閉扉４２を回動して開閉する駆動ソレノイド８０と、
　前記駆動用ソレノイドの該球通路側を覆うようにして該駆動用ソレノイドと該球通路との間に配設した強磁性材によって形成された遮蔽プレートとを備え、
　前記大入賞口装置４４の開閉扉４２に対し、正面視において駆動ソレノイド８０は左端部の側に位置し、検出部６４は右端部の側に位置し、
　前記大入賞口装置４４に入球した遊技球が検出部６４に検出する前に転がるの床面である案内壁６６には、ポケット部６０が形成された側に向かって僅かに傾斜している第一の傾斜部６８、ポケット部６０側に向かって傾斜している第二の傾斜部７０が設けられたパチンコ機。」
（２）当審の拒絶理由で引用した本願の出願日前に頒布された刊行物である特開２００８−１６１５７９号公報（以下、「刊行物２」という。）には、図面と共に次の事項が記載されている。
（２ａ）「【発明の詳細な説明】
【技術分野】
【０００１】
　本発明は、例えばアタッカーなどの入賞装置を備えた遊技機に関する。
【背景技術】
【０００２】
　従来の遊技機には、アタッカーなどの大入賞装置を備えたものが知られている。この大入賞装置は、いわゆる大当りに当選したときに、特別遊技の継続時間及び所定回数だけ開口し続け、遊技球が入球することにより多量の遊技球の払い出しを可能とするものである。」
（２ｂ）「【００７２】
　図１０及び図１１に示すように、筐体部１９０を構成する筐体底部１９４には、上述したカウントスイッチ１２６が取り付けられている。このカウントスイッチ１２６は、全体として略直方体状に形成されており、カウントスイッチ１２６の幅方向一方側端部側にはその厚み方向に貫通した円形の開口孔である遊技球通過部１９６が形成されている。また、
遊技球通過部１９６の円縁には、遊技球Ｍの通過を検知するセンサ部１９８が取り付けられている。
（２ｃ）「【００８１】
　ここで、
図１０乃至図１２に示すように、遊技球通過部１９６の厚み方向に沿って延びる部位１２６Ｂの延在方向は、水平方向（鉛直方向）に対し、遊技球通路２００を通過する遊技球Ｍの遊技球通過方向上流側（図１２中矢印Ａ方向側）から下流側（図１２中矢印Ｂ方向側）に向けて下り傾斜しているため、遊技球Ｍが遊技球通過部１９６において停滞してしまうことを防止できる。
（２ｄ）「【００９０】
　なお、上記実施形態のパチンコ機１０は、遊技球が遊技者から見て遊技盤２６の左側から右側に向けて発射されるパチンコ機を前提としているため、カウントスイッチ１２６が遊技盤２６を正面からみて大入賞装置８４の内部の右側に配置している構成のものである。つまり、遊技盤２６の遊技領域２８を流下した遊技球は、
大入賞口８６に入球しても左側から右側に転動しやすいので、カウントスイッチ１２６を右側に配置
【００９１】
　これに対して、
カウントスイッチ１２６を大入賞装置８４の内部の左側に配置してもよい。
（２ｅ）図１０、図１２によれば、大入賞装置８４を正面視すれば、
遊技球通路２００は左端部からセンサ部１９８が取り付けられた遊技球通過部１９６のある右端部のへ傾斜している
５．対比
　本願発明と引用発明とを対比する。
（１）引用発明の「パチンコ機」は本願発明の「遊技球による遊技を遊技領域で行う遊技機」に相当する。また、引用発明の「大入賞口装置」はパチンコ機の正面視略右下領域に位置され、これは、いわゆる右打ちの状態で遊技球が落下し、正面視で右側から左側よりに向かった遊技球を受け入れるものである。したがって、引用発明の「正面視略右下領域に開閉扉４２によって回動して開閉される大入賞口装置」は、本願発明の「遊技領域のうち落下する遊技球が正面視で右側から左側に向かい易い領域に配設され、回転して開閉する扉を有する大入賞口」に相当することは明らかである。
（２）引用発明の「コイルへの通電により突出方向（長手方向）に変位するプランジャ８４」は、コイルの通電により磁力が発生することから、本願発明の「磁力の利用によりスライド移動する軸部」に相当する。また、引用発明の「開閉扉４２の下端部の方向」は、開閉扉４２が回動する軸方向であるから、本願発明の「扉の回転軸が延びる方向」に相当する。
　したがって、引用発明の「プランジャ８４の突出方向（長手方向）が大入賞口装置４４の回動する開閉扉４２の下端部の方向と略同一であり、大入賞口装置４４の開閉扉４２を回動して開閉する駆動ソレノイド８０」は、本願発明の「軸部のスライド移動の方向が前記扉の回転軸が延びる方向と略同一になるように配設され、前記大入賞口の当該扉を開閉する駆動力を発生する駆動源」に相当する。
（３）引用発明の「駆動用ソレノイドの該球通路側を覆うようにして該駆動用ソレノイドと該球通路との間に配設した強磁性材によって形成された遮蔽プレート」は、大入賞口に近い位置で駆動源の磁力の影響を抑制することは明らかであるので、本願発明の「大入賞口に近い位置での遊技球への前記駆動源の磁力の影響を抑制する抑制手段」に相当する。
（４）引用発明の「大入賞口装置４４の開閉扉４２に対し、正面視において駆動ソレノイド８０は左端部の側に位置し、検出部６４は右端部の側に位置し、」は、上記（３）の遮蔽プレートにより、駆動ソレノイド８０は遊技球への磁力の影響が抑制されることを考慮すれば、本願発明の「抑制手段により遊技球への磁力の影響が抑制される前記駆動源が正面視で前記大入賞口の前記扉の一端部の側に位置し、当該一端部の側から当該大入賞口に入球した遊技球を検出する検出部が正面視で当該扉の他端部の側に位置し、」に相当する。
　
（５）引用発明の「大入賞口装置４４に入球した遊技球が検出部６４に検出する前に転がる床面である案内壁６６」は本願発明の「大入賞口に入球した遊技球が前記検出部により検出する前に転がる床面」に相当する。
　そうすると、両者は、
「遊技球による遊技を遊技領域で行う遊技機であって、
　前記遊技領域のうち落下する遊技球が正面視で右側から左側に向かい易い領域に配設され、回転して開閉する扉を有する大入賞口と、
　磁力の利用によりスライド移動する軸部を有し、当該軸部のスライド移動の方向が前記扉の回転軸が延びる方向と略同一になるように配設され、前記大入賞口の当該扉を開閉する駆動力を発生する駆動源と、
　前記大入賞口に近い位置での遊技球への前記駆動源の磁力の影響を抑制する抑制手段と、
　を備え、
　前記抑制手段により遊技球への磁力の影響が抑制される前記駆動源が正面視で前記大入賞口の前記扉の一端部の側に位置し、当該一端部の側から当該大入賞口に入球した遊技球を検出する検出部が正面視で当該扉の他端部の側に位置し、
　前記大入賞口に入球した遊技球が前記検出部により検出する前に転がる床面を有した遊技機。」
である点で一致しており、次の点で相違する。
　
（相違点）
　前記大入賞口に入球した遊技球が前記検出部により検出する前に転がる床面について、本願発明は、前記扉の前記一端部と前記他端部の高さ位置が互いに略等しいのに対し、引用発明は、ポケット部６０が形成された側に向かって僅かに傾斜している第一の傾斜部６８、ポケット部６０側に向かって傾斜している第二の傾斜部７０が設けられているが、前記のような特定がなされていない点。
６．当審の判断
（１）まず、上記相違点に係る本願発明の構成について検討する。
　請求人は平成２７年１１月９日付けの意見書第２頁において、以下のような主張をしている。
「今回の補正により請求項１で補充訂正した「前記大入賞口に入球した遊技球が前記検出部により検出する前に転がる床面の、前記扉の前記一端部と前記他端部の高さ位置が互いに略等しい」は、願書に最初に添付した図１９−１および図１９−２の図示に基づくものであります。すなわち、図１９−１は盤面構成ユニット５００の正面図であり、図１９−２はその背面図であるところ、これらの図面から、大入賞口ユニット６５０は正面視ないし背面視で、右辺と左辺とがほぼ同じ長さの長方形であることを導くことができます。したがって、大入賞口ユニット６５０において、外装部品である板状のケース部６５４の上面（図２０−１、図２０−２参照）とケース部６５４の内部にある遊技球が転がる面である床面６５５（図２７）とが互いに略平行であることを導くことができます。このように、本願では、明細書には明記されていないものの、図示内容から、大入賞口ユニット６５０の床面６５５は傾斜しておらずに略水平なものであり、一端部と他端部の高さ位置が略等しいものであります。
　したがいまして、今回の補正は新規事項を含むものではなく、また、発明の特別な技術的特徴を変更するものでもなく、適法なものであります。」
　要するに、「前記大入賞口に入球した遊技球が前記検出部により検出する前に転がる床面の、前記扉の前記一端部と前記他端部の高さ位置が互いに略等しい」は、本願の明細書には明記されていないものの、図示内容から自明であるというものである。
（２）そこで、「床面の」「前記扉の前記一端部と前記他端部の高さ位置が互いに略等しい」について検討すると、図面は、発明の技術思想を正確に表すものではないが、発明の概要を示すものとしては参考できるものである。そして、「高さ位置が互いに略等しい」は「略」があることから図面から読み取れる事項である。
　また、仮に「略」がなく、「高さが互いに等しい」とすれば、大入賞口に入球した遊技球が転がらず、詰まる可能性があるため、床面は検出部に向けやや傾斜する必要があることは技術常識である。そういう意味では、「高さ位置が互いに略等しい」は、地面に対し水平ではなく「やや傾斜した」構成も含んでいることは明らかである。
（３）これに対し、引用発明の床面は、「ポケット部６０が形成された側に向かって僅かに傾斜している第一の傾斜部６８、ポケット部６０側に向かって傾斜している第二の傾斜部７０」を有しており、ポケット部６０側は検出部側であるから、引用発明の床面は検出部に向けて、僅かに傾斜した第一の傾斜部６８に加え、第二の傾斜部７０が設けられ、２つの傾斜部を有している。
（４）ところで、刊行物２には、上記４．（２ｅ）により、遊技球通路２００は左端部からセンサ部１９８が取り付けられた遊技球通過部１９６のある右端部のへ傾斜していることが示されている。遊技球通路２００は大入賞口に入球した遊技球が転がる床面であるから、刊行物２には、左端部から右端部に傾斜した床面を設けていることが示されている。
　また、上記４．（２ｄ）より、左端部と右端部の傾斜の変更は可能であるから、結局、刊行物２には一端部から他端部に傾斜した床面を設けていることが示されているといえる。
（５）そして、引用発明も刊行物２に記載された事項も大入賞口内の球通路において遊技球の停滞を防ぐものであるから（刊行物１の（１ｃ）、刊行物２の（２ｃ）参照）、引用発明の床面に刊行物２に記載された床面を適用することは当業者が容易になし得ることである。その際、床面の「一端部から他端部に傾斜した」状態を「やや傾斜した」状態とし、前記相違点に係る本願発明の構成である「前記扉の前記一端部と前記他端部の高さ位置が互いに略等しい」ようにすることは当業者が容易に想到し得ることである。
　また、本願発明の効果も引用発明、刊行物２に記載された事項からみて格別のものではない。
（６）なお、請求人は、平成２７年１１月９日付けの意見書第２頁（３−３）において、引用文献２（刊行物２）の【００８４】の記載事項について言及しているが、これは図８、図９に係る実施例についての記載である。当審決においては刊行物２で引用しているのは図１０、図１２に係る実施例であり、壁部２０２等は存在しない。
　したがって、請求人の主張は採用できない。
７．むすび
　以上のとおり、本願発明は引用発明及び刊行物２に記載された事項に基づいて当業者が容易に発明をすることができたものであり、特許法第２９条第２項の規定により特許を受けることができない。
　したがって、その余の請求項に係る発明について検討するまでもなく、本願は拒絶すべきものである。
　よって、結論のとおり審決する。